(57)【要約】【課題】台車による機器等の搬入出が容易な使用性能の優れた屈曲形電磁波シールド通路構造体を得る。【解決手段】内側に電波吸収体４が貼り付けられた電磁シールド外壁３で管状路を形成し、この電磁シールド外壁３が形成する管状路の内側に電磁シールド外壁３に沿わせて内装板５を装着して管状路内に通路を形成し、通路を屈曲させて、通路の屈曲部７を形成する屈曲形電磁波シールド通路構造体において、屈曲部７を構成する電磁シールド外壁３のなす角度が通路内部から見て鋭角となるようにすると共に、鋭角とした上記屈曲部７の内装板５を電磁シールド外壁３から離して通路の幅方向の中心寄りに配置した。【選択図】図２
2006279065.tif 000002
【特許請求の範囲】
【請求項１】
内側に電波吸収体が貼り付けられた電磁シールド外壁で管状路を形成し、
この電磁シールド外壁が形成する管状路の内側に上記電磁シールド外壁に沿わせて内装板を装着して管状路内に通路を形成し、
上記通路を屈曲させて、上記通路の屈曲部を形成する屈曲形電磁波シールド通路構造体において、
上記屈曲部を構成する上記電磁シールド外壁のなす角度が上記通路内部から見て鋭角となるようにすると共に、鋭角とした上記屈曲部の上記内装板を上記電磁シールド外壁から離して上記通路の幅方向の中心寄りに配置した屈曲形電磁波シールド通路構造体。
【発明の詳細な説明】
【技術分野】
【０００１】
この発明は、電磁波シールド室の出入口として使用する屈曲形電磁波シールド通路構造体の改良に関するものである。
【背景技術】
【０００２】
従来の屈曲形電磁波シールド通路構造体は、電磁波の反射回数をできるだけ多くしてシールド性能を高めるために、通路に複数の屈曲部が存在する（例えば、特許文献１参照）。
【０００３】
屈曲形電磁波シールド通路構造体の入口から入射した電磁波は、通路内面において複数回反射し、減衰しながら出口から出射する。通路内の壁、床、天井部には、それぞれ石膏ボード又は合板等からなる内装板が設置されるが、その外側にはピラミッド形電波吸収体又はフェライトタイル等の電波吸収体が貼りつけられるため、反射するたびに電磁波は吸収され減衰する。すなわち、通路に屈曲部が多いほど反射回数も増加し、通路のシールド性能は向上する。
【０００４】
【特許文献１】特開平１１−２６１２６９号公報（図２）
【発明の開示】
【発明が解決しようとする課題】
【０００５】
従来の屈曲形電磁波シールド通路構造体は、以上のように構成されており、所要のシールド性能を達成するために、通路内に複数の屈曲部が必要となる。このため、台車を用いて機器等を搬入するとき多大な労力を要するという問題点があった。
この発明は上記のような問題点を解決するためになされたもので、台車による機器等の搬入出が容易な使用性能の優れた屈曲形電磁波シールド通路構造体を得ようとするものである。
【課題を解決するための手段】
【０００６】
この発明に係わる屈曲形電磁波シールド通路構造体は、内側に電波吸収体が貼り付けられた電磁シールド外壁で管状路を形成し、この電磁シールド外壁が形成する管状路の内側に電磁シールド外壁に沿わせて内装板を装着して管状路内に通路を形成し、通路を屈曲させて、通路の屈曲部を形成する屈曲形電磁波シールド通路構造体において、屈曲部を構成する電磁シールド外壁のなす角度が通路内部から見て鋭角となるようにすると共に、鋭角とした上記屈曲部の内装板を電磁シールド外壁から離して通路の幅方向の中心寄りに配置したものである。
【発明の効果】
【０００７】
この発明に係わる屈曲形電磁波シールド通路構造体によれば、内側に電波吸収体が貼り付けられた電磁シールド外壁で管状路を形成し、この電磁シールド外壁が形成する管状路の内側に電磁シールド外壁に沿わせて内装板を装着して管状路内に通路を形成し、通路を屈曲させて、通路の屈曲部を形成する屈曲形電磁波シールド通路構造体において、屈曲部を構成する電磁シールド外壁のなす角度が通路内部から見て鋭角となるようにすると共に、鋭角とした上記屈曲部の内装板を電磁シールド外壁から離して通路の幅方向の中心寄りに配置したので、電磁波の反射回数を増やしてシールド性能を向上させるとともに、台車による機器等の搬入出が容易な使用性能の優れた屈曲形電磁波シールド通路構造体を得ることができる。
【発明を実施するための最良の形態】
【０００８】
参考例１．
図１は参考例１による屈曲形電磁波シールド通路構造体の構成を示す水平断面図である。図１において、屈曲形電磁波シールド通路構造体１０は、通路の入口１、通路の出口２を有し、電磁シールド鋼板である電磁シールド外壁３が、床，両側面及び天井を被って管状路を形成している。電磁シールド外壁３の床，両側面及び天井には、ピラミッド形電波吸収体又はフェライトタイルなどの電波吸収体４が貼り付けられている。電波吸収体４上には、美観と内部の吸収体保護を目的として、また台車等の運搬通路を形成する目的で、内装板５が装着されている。電磁シールド鋼板である可動式の電磁シールド体６が通路の内部空間に配置され、通路の屈曲部を構成している。通路には、可動式の電磁シールド体６で構成された屈曲部と合わせて、屈曲部７ａ，７ｂ，７ｃ，７ｄが形成され、図１では合計４箇所存在している。台車８はこの通路で使用することを想定したものである。
【０００９】
次に動作について説明する。参考例１の図１では、通路の入口１から入射した電磁波が出口２から出ていくまでに、通路内面での反射回数をできるだけ多くするために、通路途中に屈曲部７ａ，７ｂ，７ｃ，７ｄを４箇所設けた例が示されている。例えば、この通路を人が通過するためには、入口１から直進し、屈曲部７ａにおいて左折し、続いて屈曲部７ｂで右折、屈曲部７ｃで右折、屈曲部７ｄで左折というように、屈曲部の数と同じ回数だけ曲がる必要がある。台車で荷物を運搬するときも同様であるが、特に通路幅と同程度の大きな荷物を運搬する場合や、屈曲部において通路幅が狭くなるような通路においては、このような屈曲部を通過するのは多大な労力を伴う場合がある。
【００１０】
この問題を解決するために、通路の屈曲部を構成する電磁シールド体6を可動式とし、一時的に通路の空きスペースに水平移動させることにより、通路の曲がりを減少させ、直線化又は短絡化させることで、スムーズに台車８を通過させることが可能となる。図１の場合では、電磁シールド体６を９０°回転させて屈曲部７ｂと屈曲部７ｃ間に移動することにより、通路は、入口１から出口２まで直線となり、台車８をスムーズに通過させることができる。
【００１１】
なお、電磁シールド体６の構成は、電磁シールド板に電波吸収体が貼り付けられ、内装板が装着された電磁シールド体であってよい。
また、可動式電磁シールド体には、下部又は上部にローラーが備えられ、管状路の床面又は天井に設けられたレール上を移動して、図１の位置より９０°回転して、屈曲部７ｂと屈曲部７ｃ間に移動するようにしてもよい。
【００１２】
実施の形態１．
図２はこの発明の実施の形態１による屈曲形電磁波シールド通路構造体の構成を示す水平断面図である。図２において、屈曲形電磁波シールド通路構造体２０は、通路の入口１、通路の出口２を有し、電磁シールド鋼板である電磁シールド外壁３が、床，両側面及び天井を被って管状路を形成している。電磁シールド外壁３の床，両側面及び天井には、ピラミッド形電波吸収体又はフェライトタイルなどの電波吸収体４が貼り付けられている。電磁シールド外壁３が形成する管状路の内側に電磁シールド外壁３に沿わせて内装板５が装着され管状路内に通路を形成している。屈曲部７ｅ，７ｆにおいては、これらを形成する電磁シールド外壁３の２面のなす角度が、上記通路内部から見て鋭角となるようにすると共に、屈曲部７ｅ，７ｆの内装板５を電磁シールド外壁３から離して通路の幅方向の中心寄りに配置している。そのため、電磁シールド外壁３で構成される管状路は屈曲部で鋭角に曲がっているが、内装板５で形成された通路は、図２の場合は直角に曲がっているだけで、通路としては、よりスムーズに移動できる通路となっている。
【００１３】
電波が直接反射する電磁シールド外壁は、電波の侵入方向に対し鋭角的に曲げられているため、電波が通過しにくくなり反射回数が増加し、その結果シールド性能が向上する。しかも屈曲部において通路の曲り角度はほぼ直角であるため、人が通路を通過する場合には特に違和感は伴わなく、よりスムーズに通過することができる。なお、屈曲部において通路の曲り角度を直角以上の鈍角にしてもよい。
【図面の簡単な説明】
【００１４】
【図１】参考例１による屈曲形電磁波シールド通路構造体の構成を示す水平断面図である。
【図２】この発明の実施の形態１による屈曲形電磁波シールド通路構造体の構成を示す水平断面図である。
【符号の説明】
【００１５】
１  入口                            ２  出口
３  電磁シールド外壁                ４  電波吸収体
５  内装板                          ６  可動式の電磁シールド体
７ａ，７ｂ，７ｃ，７ｄ，７ｅ，７ｆ  屈曲部
８  台車
１０  屈曲形電磁波シールド通路構造体
２０  屈曲形電磁波シールド通路構造体。
【図１】
2006279065.tif 000003
【図２】
2006279065.tif 000004